(57)【要約】      （修正有）【課題】商品を縦積みした状態で陳列する商品陳列什器として、内部の視認性が高いため複数種類の商品を収容した場合であってもこれらを認識しやすく、任意位置にある商品を容易に取り出すことができる商品陳列什器を提供する。【解決手段】上下方向に長い矩形状の背板４、背板４の幅方向端縁から前方に延びる左右の側板５，６、側板５，６の前端縁から幅方向内側に延びる左右の前板７，８からなる、上面開口部Ａ及び下面開口部Ｂ並びに前面開口部Ｃを設ける。その内方に商品を収容する基体１と、基体１に連結され、下面開口部Ｂの下方に位置して商品を当止する当止体２と、基体１を被取付部に取り付ける取付手段３とを備え、基体１内に収容した商品の前方への抜け止めが可能なように前面開口部Ｃの間隔を設定するとともに、前面開口部Ｃの間隔を広げるように基体１を弾性変形させながら商品を前方へ取り出し可能とした。【選択図】図１
0003170181.tif 000002
【実用新案登録請求の範囲】
【請求項１】
商品を縦積みした状態で陳列する商品陳列什器であって、
上下方向に長い矩形状の背板、該背板の幅方向端縁から前方に延びる左右の側板、該側板の前端縁から幅方向内側に延びる左右の前板からなる、上面開口部及び下面開口部並びに前記左右の前板間に前面開口部を有し、その内方に前記商品を収容する基体と、
該基体に連結され、前記下面開口部の下方又は前記下面開口部を塞ぐように位置して前記商品を当止する当止体と、
前記基体を被取付部に取り付ける取付手段とを備え、
前記基体内に収容した商品の前方への抜け止めが可能なように前記前面開口部の間隔を設定するとともに、前記前面開口部の間隔を広げるように前記基体を弾性変形させながら前記商品を前方へ取り出し可能としたことを特徴とする商品陳列什器。
【請求項２】
商品を縦積みした状態で陳列する商品陳列什器であって、
平面視略Ｃ字状で上下方向に長く、上面開口部及び下面開口部並びに前面開口部を有し、その内方に前記商品を収容する基体と、
該基体に連結され、前記下面開口部の下方又は前記下面開口部を塞ぐように位置して前記商品を当止する当止体と、
前記基体を被取付部に取り付ける取付手段とを備え、
前記基体内に収容した商品の前方への抜け止めが可能なように前記前面開口部の間隔を設定するとともに、前記前面開口部の間隔を広げるように前記基体を弾性変形させながら前記商品を前方へ取り出し可能としたことを特徴とする商品陳列什器。
【請求項３】
前記基体を透明又は半透明としてなる請求項１又は２記載の商品陳列什器。
【請求項４】
前記前板が前記側板となす角度が鈍角になるように、前記前板を幅方向内側に行くにしたがって前方に傾斜させてなる請求項１記載の商品陳列什器
【請求項５】
前記当止体が、前方へ行くにしたがって下方へ傾斜する傾斜部及び該傾斜部の下端で前記商品を受け止める受止部を備えたものであり、前記商品の最下段のものを前記傾斜部の上面に添うように陳列してなる請求項１又は２記載の商品陳列什器。
【請求項６】
前記取付手段が、前記基体の後面に取り付けられた永久磁石である請求項１又は２記載の商品陳列什器。
【請求項７】
前記永久磁石の後面に緩衝材を貼付してなる請求項６記載の商品陳列什器。
【請求項８】
前記永久磁石が、シート状磁石である請求項６記載の商品陳列什器。
【考案の詳細な説明】
【技術分野】
【０００１】
本考案は、商品を縦積みした状態で陳列する商品陳列什器に関わり、さらに詳しくは、省スペースで様々な場所に取り付けて使用することができ、商品の取出しが容易な商品陳列什器に関する。
【背景技術】
【０００２】
店頭で商品を陳列するために用いられる一般的な商品陳列什器は、サイズ及び重量が共に大きいため、床面上に設置されるものであり（例えば、特許文献１参照。）、設置の自由度が低い。
これに対して、設置の自由度が高い商品陳列什器として、店舗内の柱若しくは壁面又は床面上に設置される商品陳列什器の端部（エンド）等に吊り下げて使用することができる、小形軽量の商品を縦積みした状態で陳列する商品陳列什器がある（例えば、特許文献２参照。）。
【先行技術文献】
【特許文献】
【０００３】
【特許文献１】特開２００６−２９６０９５号公報
【特許文献２】特開２００３−０６１７９２号公報
【考案の概要】
【考案が解決しようとする課題】
【０００４】
特許文献２の商品を縦積みした状態で陳列する商品陳列什器は、厚紙を筒状に折り曲げて形成された、前壁、一対の側壁、後壁及び底壁を備えたケースの上面開口から順次落とし込まれた商品を積み重ねた状態で収容し、前壁下部に形成した取出口から最下段の商品を取り出すものである。
したがって、先入れ先出しで商品を取り出す構成であることから、最下段の商品以外を取り出すことは困難である。
また、厚紙を筒状に折り曲げて形成されることから、前壁下部の取出口からしか商品を視認することができない。
よって、商品陳列什器内に複数種類の商品を縦積みした状態で収容して顧客（購買者）が好みの商品を選択して取り出すことはできない。
【０００５】
そこで本考案が前述の状況に鑑み、解決しようとするところは、設置の自由度が高い、主に小形軽量の商品を縦積みした状態で陳列する商品陳列什器として、内部の視認性が高いため複数種類の商品を縦積みした状態で収容した場合であってもこれらを認識しやすく、顧客が任意位置にある好みの商品を容易に取り出すことができる商品陳列什器を提供する点にある。
【課題を解決するための手段】
【０００６】
本考案に係る商品陳列什器は、前記課題解決のために、商品を縦積みした状態で陳列する商品陳列什器であって、上下方向に長い矩形状の背板、該背板の幅方向端縁から前方に延びる左右の側板、該側板の前端縁から幅方向内側に延びる左右の前板からなる、上面開口部及び下面開口部並びに前記左右の前板間に前面開口部を有し、その内方に前記商品を収容する基体と、該基体に連結され、前記下面開口部の下方又は前記下面開口部を塞ぐように位置して前記商品を当止する当止体と、前記基体を被取付部に取り付ける取付手段とを備え、前記基体内に収容した商品の前方への抜け止めが可能なように前記前面開口部の間隔を設定するとともに、前記前面開口部の間隔を広げるように前記基体を弾性変形させながら前記商品を前方へ取り出し可能としたことを特徴とする。
【０００７】
また、本考案に係る商品陳列什器は、前記課題解決のために、商品を縦積みした状態で陳列する商品陳列什器であって、平面視略Ｃ字状で上下方向に長く、上面開口部及び下面開口部並びに前面開口部を有し、その内方に前記商品を収容する基体と、該基体に連結され、前記下面開口部の下方又は前記下面開口部を塞ぐように位置して前記商品を当止する当止体と、前記基体を被取付部に取り付ける取付手段とを備え、前記基体内に収容した商品の前方への抜け止めが可能なように前記前面開口部の間隔を設定するとともに、前記前面開口部の間隔を広げるように前記基体を弾性変形させながら前記商品を前方へ取り出し可能としたことを特徴とする。
【０００８】
これらのような構成によれば、基体の上面開口部から商品を落とし込むことにより当止体により当止されて落下が防止された状態となり、上面開口部から基体内に順次落とし込まれた商品を縦積みした状態で基体内に収容した省スペースな構成であるとともに、取付手段により基体を店舗内の柱若しくは壁面又は床面上に設置した商品陳列什器の端部（エンド）等の被取付部に取り付けることができるので、設置の自由度が高く、様々な場所に取り付けて使用することができる。
その上、基体が不透明であっても、前面開口部から縦積みされた商品を視認することができるので、複数種類の商品を縦積みした状態で収容した場合であってもこれらを認識しやすく、顧客が任意位置にある好みの商品を認識した際に、その商品を、前面開口部の間隔を広げるように基体を弾性変形させながら前方へ容易に取り出すことができる。
【０００９】
ここで、前記基体を透明又は半透明としてなると好ましい。
このような構成によれば、透明又は半透明の基体を通して内部を視認することができることから、縦積みした商品全体を視認することができるため、顧客の視線をとらえやすく、より効果的な商品陳列を行うことができる。
【００１０】
また、前記前板が前記側板となす角度が鈍角になるように、前記前板を幅方向内側に行くにしたがって前方に傾斜させてなると好ましい。
このような構成によれば、商品の前方への抜け止めを行う前板が幅方向内側に行くにしたがって前方に傾斜していることから、基体内に商品を収容するスペースが狭くなることがないとともに、商品を前方へ取り出す際に前板が引っ掛かることがなく、前面開口部から商品を取り出しやすくなる。
【００１１】
さらに、前記当止体が、前方へ行くにしたがって下方へ傾斜する傾斜部及び該傾斜部の下端で前記商品を受け止める受止部を備えたものであり、前記商品の最下段のものを前記傾斜部の上面に添うように陳列してなると好ましい。
このような構成によれば、傾斜部の上面に添うように傾斜した最下段の商品の上面を視認することができるため、より効果的な商品陳列を行うことができるとともに、最下段の商品の取り出しが容易になる。
【００１２】
さらにまた、前記取付手段が、前記基体の後面に取り付けられた永久磁石であると好ましい。
このような構成によれば、被取付部が鉄等の強磁性体である場合に、様々な場所に容易に取り付けて使用することができるとともに、永久磁石の磁気吸引力により基体が被取付部に安定かつ確実に固定される。
その上、フックや吊下げ用の紐等が不要になるため、省スペース化を図ることができるとともに、フックや吊下げ用の紐等が視認されないため、すっきりとした外観になる。
特に永久磁石として強力な磁力を有するネオジム磁石を用いることにより、商品陳列什器により保持して陳列する商品の数を増やしたり、商品の重量を大きくすることができる。
【００１３】
また、前記永久磁石の後面に緩衝材を貼付してなると好ましい。
このような構成によれば、永久磁石が緩衝材により保護されているため、着脱を繰り返しても永久磁石自体の割れや欠けが生じることがないとともに、永久磁石が吸着する被取付部表面の損傷を防止することができる。
【００１４】
さらに、前記永久磁石が、シート状磁石であると好ましい。
このような構成によれば、シート状磁石はゴムやプラスチックに磁性体を分散させたものであり耐衝撃性が高いため、着脱を繰り返してもシート状磁石自体の割れや欠けが生じることないとともに、シート状磁石が吸着する被取付部表面の損傷を防止することができる。
【考案の効果】
【００１５】
以上のように、本考案に係る商品陳列什器によれば、上面開口部から基体内に順次落とし込まれた商品を縦積みした状態で基体内に収容した省スペースな構成であるとともに取付手段により基体を被取付部に取り付けることができるので、様々な場所に取り付けて使用することができ、前面開口部又は透明の基体を通して内部の商品を視認することができるので、複数種類の商品を縦積みした状態で収容した場合であってもこれらを認識しやすく、顧客が任意位置にある好みの商品を認識した際に、その商品を、前面開口部の間隔を広げるように基体を弾性変形させながら前方へ容易に取り出すことができるという顕著な効果を奏する。
【図面の簡単な説明】
【００１６】
【図１】本考案の実施の形態に係る商品陳列什器を示す斜視図である。
【図２】本考案の実施の形態に係る商品陳列什器に商品を収容した状態を示す斜視図である。
【図３】同じく部分縦断側面図である。
【図４】前方への商品の取り出しを説明するための横断平面図である。
【図５】当止体の変形例を示す斜視図であり、（ａ）は下面開口部を塞ぐように板状の当止体を位置させた構成例を、（ｂ）は下面開口部の下方に板状の当止体を位置させた構成例を示している。
【図６】基体を平面視略Ｃ字状とした変形例を示す横断平面図であり、（ａ）は後部を平板状としてそれ以外を円弧板状とした構成例を、（ｂ）は全体を円弧板状とした構成例を示している。
【考案を実施するための形態】
【００１７】
次に本考案の実施の形態を添付図面に基づき詳細に説明するが、本考案は、添付図面に示された形態に限定されず実用新案登録請求の範囲に記載の要件を満たす実施形態の全てを含むものである。
なお、本明細書においては、商品陳列用什器を被取付部に取り付けた状態で手前側を前、その反対側（奥側、被取付部側）を後とし、左右は前方に向かっていうものとし、左右方向を幅方向という。
【００１８】
図１〜図３に示すように、本考案の実施の形態に係る商品陳列什器は、上下方向に長い矩形状の背板４、背板４の幅方向端縁から前方に延びる左右の側板５，６、側板５，６の前端縁から幅方向内側に延びる左右の前板７，８からなる、上面開口部Ａ及び下面開口部Ｂ並びに左右の前板７，８間に前面開口部Ｃを有し、その内方に商品Ｇ，Ｇ，…を収容する基体１と、基体１に連結され、下面開口部Ｂの下方に位置して商品Ｇを当止する当止体２と、店舗内の柱若しくは壁面又は床面上に設置した商品陳列什器の端部（エンド）等の被取付部に基体１を取り付ける取付手段３とを備えている。
上面開口部Ａから商品Ｇを落とし込むと、当止体２により当止されて落下が防止され、商品Ｇ，Ｇ，…が順次積み重ねられた状態で保持される（図２及び図３参照。）。
【００１９】
基体１は、ポリエチレンテレフタレート（ＰＥＴ）、ポリカーボネート（ＰＣ）又はアクリル樹脂等の透明合成樹脂製であり一体成形される。
なお、背板４に対して、側板５，６及び前板７，８を別体として、これらを連結することにより基体１を形成してもよい。
基体１は透明（半透明であってもよい。）であるので、図２に示すように、基体１の外方から内部の商品Ｇ，Ｇ，…の全体を視認することができる。
【００２０】
当止体２は、ビニル被覆鋼線で形成された網目状（格子状）構造物であり、背板４の下端部にリベット１１，１１により連結固定される。
また、当止体２は、背板４の後側から垂下する垂下部１２Ａ、垂下部１２Ａ下端から前方へ行くにしたがって下方へ３０°〜４５°程度傾斜する傾斜部１２Ｂ、傾斜部１２Ｂの下端を上方へ折り曲げて形成される、商品Ｇを受け止める受止部１２Ｃ、及び、左右方向へのずれや抜け落ちを防止する側面ガイド部１２Ｄからなり、最下段の商品Ｇは傾斜部１２Ｂの上面に添うように陳列される（図２及び図３参照。）。
ここで、当止体２が網目状（格子状）構造物であることから、フック等を掛けることが容易であるため、商品の価格表示や広告等を容易に行うことができる。
なお、当止体２は、図１〜図３のような網目状（格子状）構造物として傾斜部１２Ｂ及び受止部１２Ｃ等を備える構成がより好ましいものであるが、図５に示すような板状のものであってもよく、板状の当止体２を、図５（ａ）のように下面開口部Ｂを塞ぐように位置させたり、図５（ｂ）のように下面開口部Ｂの下方に位置させてもよい。
【００２１】
取付手段３は、例えばネオジム磁石である永久磁石９を、基体１の背板４の後面に貼着又はリベット止め等により取り付けたものであり、強磁性体の被取付部に対して磁気吸引力により商品陳列什器を取り付けることができる。
永久磁石９，９，…の個数及び配置は、図１及び図３に示すような３個の永久磁石９を上下方向一列に配置する構成に限定されるものではなく、背板４のサイズや商品Ｇの重量等に応じて適宜決定される。
また、永久磁石９の後面には、０．１ｍｍ〜０．５ｍｍ程度の厚さの緩衝材１０が貼付される。
なお、取付手段３として、可撓性のない固形の永久磁石ではなく、ゴムやプラスチックに磁性体を分散させて可撓性のあるシート状に成形したシート状磁石としてもよく、永久磁石ではなく、フックや吊下げ用の紐等を用いてもよく、これらを併用してもよい。
【００２２】
次に、基体１内に収容した商品Ｇ，Ｇ，…の前方への取り出しについて説明する。
基体１の前面開口部Ｃの間隔（前板７，８の左右方向の距離）は、基体１内に収容した商品Ｇ，Ｇ，…の前方への抜け止めが可能なように設定されており、図４に示すように、前面開口部Ｃの間隔を広げるように基体１を弾性変形させることにより、任意位置の商品Ｇを前方へ取り出すことができ、商品Ｇを取り出した後には、弾性変形による復元力で、基体１は元の形状に復帰する。
また、左右の前板７，８は商品Ｇの前方への抜け止めを行うものであること、商品Ｇを前方へ取り出す際の引っ掛かりをなくすこと、前板７，８により基体１内の商品Ｇ，Ｇ，…を収容するスペースが狭くならないことを考慮して、図４に示すように、左右の前板７，８が左右の側板５，６となす角度が鈍角になるように、前板７，８を幅方向内側に行くにしたがって前方に傾斜させており、前記角度は、９５°〜１２０°程度がより好ましい。
【００２３】
基体１の形状は、図１及び図４に示すような平面視略コ字状でその前端部に左右の前板７，８を備えた構成ではなく、図６に示すような平面視略Ｃ字状としてもよく、図６（ａ９のように後部を平板状としてそれ以外を円弧板状としたり、図６（ｂ）のように全体を円弧板状としてもよい。
図６のような平面視略Ｃ字状の基体１であっても、前面開口部Ｃの間隔を広げるように基体１を弾性変形させることにより、任意位置の商品Ｇを前方へ取り出すことができる。
【００２４】
以上のような商品陳列什器の構成によれば、基体１の上面開口部Ａから商品Ｇを落とし込むことにより当止体２により当止されて落下が防止された状態となり、上面開口部Ａから基体１内に順次落とし込まれた商品Ｇ，Ｇ，…を縦積みした状態で基体１内に収容した省スペースな構成であるとともに、取付手段３により基体１を店舗内の柱若しくは壁面又は床面上に設置した商品陳列什器の端部（エンド）等の被取付部に取り付けることができるので、設置の自由度が高く、様々な場所に取り付けて使用することができる。
また、前面開口部Ｃから縦積みされた商品Ｇ，Ｇ，…を視認することができるので、複数種類の商品Ｇ，Ｇ，…を縦積みした状態で収容した場合であってもこれらを認識しやすく、顧客が任意位置にある好みの商品Ｇを認識した際に、その商品Ｇを、前面開口部Ｃの間隔を広げるように基体１を弾性変形させながら前方へ容易に取り出すことができる。
【００２５】
さらに、基体１は透明又は半透明であるので、基体１を通して内部を視認することができることから、図２に示すように縦積みした商品Ｇ，Ｇ，…全体を視認することができるため、顧客の視線をとらえやすく、より効果的な商品陳列を行うことができる。
さらにまた、当止体２が、図１〜図３に示すように前方へ行くにしたがって下方へ傾斜する傾斜部１２Ｂ及び傾斜部１２Ｂの下端で商品Ｇを受け止める受止部１２Ｃを備えたものであり、最下段の商品Ｇを傾斜部１２Ｂの上面に添うように陳列してなると、傾斜部１２Ｂの上面に添うように傾斜した最下段の商品Ｇの上面を図２のように視認することができるため、より効果的な商品陳列を行うことができるとともに、最下段の商品Ｇの取り出しが容易になる。
【００２６】
また、取付手段３が、図１及び図２に示すように基体１（背板４）の後面に取り付けられた永久磁石９，９，…であると、被取付部が鉄等の強磁性体である場合に、様々な場所に容易に取り付けて使用することができるとともに、永久磁石９，９，…の磁気吸引力により基体１が被取付部に安定かつ確実に固定される。
その上、フックや吊下げ用の紐等が不要になるため、省スペース化を図ることができるとともに、フックや吊下げ用の紐等が視認されないため、すっきりとした外観になる。
特に永久磁石９，９，…として強力な磁力を有するネオジム磁石を用いることにより、商品陳列什器により保持して陳列する商品Ｇの数を増やしたり、商品Ｇの重量を大きくすることができる。
【００２７】
さらに、図１及び図３に示すように永久磁石９の後面に緩衝材１０を貼付すると、永久磁石９が緩衝材１０により保護されているため、着脱を繰り返しても永久磁石９自体の割れや欠けが生じることがないとともに、永久磁石９が吸着する被取付部表面の損傷を防止することができる。
さらにまた、永久磁石９がシート状磁石であると、シート状磁石はゴムやプラスチックに磁性体を分散させたものであり耐衝撃性が高いため、着脱を繰り返してもシート状磁石自体の割れや欠けが生じることないとともに、シート状磁石が吸着する被取付部表面の損傷を防止することができる。
【符号の説明】
【００２８】
Ａ  上面開口部
Ｂ  下面開口部
Ｃ  前面開口部
Ｇ  商品
１  基体
２  当止体
３  取付手段
４  背板
５，６  側板
７，８  前板
９  永久磁石
１０  緩衝材
１１  リベット
１２Ａ  垂下部
１２Ｂ  傾斜部
１２Ｃ  受止部
１２Ｄ  側面ガイド部
【図１】
0003170181.tif 000003
【図２】
0003170181.tif 000004
【図３】
0003170181.tif 000005
【図４】
0003170181.tif 000006
【図５】
0003170181.tif 000007
【図６】
0003170181.tif 000008
【手続補正書】
【提出日】平成23年7月6日(2011.7.6)
【手続補正１】
【補正対象書類名】実用新案登録請求の範囲
【補正対象項目名】請求項１
【補正方法】変更
【補正の内容】
【請求項１】
商品を縦積みした状態で陳列する商品陳列什器であって、
上下方向に長い矩形状の背板、該背板の幅方向端縁から前方に延びる左右の側板、該側板の前端縁から幅方向内側に延びる左右の前板からなる、上面開口部及び下面開口部並びに前記左右の前板間に前面開口部を有し、その内方に前記商品を収容する、弾性変形可能な素材からなる基体と、
該基体に連結され、前記下面開口部の下方又は前記下面開口部を塞ぐように位置して前記商品を当止する当止体と、
前記基体を被取付部に取り付ける取付手段とを備え、
前記基体内に収容した商品の前方への抜け止めが可能なように前記前面開口部の間隔を設定するとともに、前記前面開口部の間隔を広げるように前記基体を弾性変形させながら前記商品を前方へ取り出し可能としたことを特徴とする商品陳列什器。
【手続補正２】
【補正対象書類名】実用新案登録請求の範囲
【補正対象項目名】請求項２
【補正方法】変更
【補正の内容】
【請求項２】
商品を縦積みした状態で陳列する商品陳列什器であって、
平面視略Ｃ字状で上下方向に長く、上面開口部及び下面開口部並びに前面開口部を有し、その内方に前記商品を収容する、弾性変形可能な素材からなる基体と、
該基体に連結され、前記下面開口部の下方又は前記下面開口部を塞ぐように位置して前記商品を当止する当止体と、
前記基体を被取付部に取り付ける取付手段とを備え、
前記基体内に収容した商品の前方への抜け止めが可能なように前記前面開口部の間隔を設定するとともに、前記前面開口部の間隔を広げるように前記基体を弾性変形させながら前記商品を前方へ取り出し可能としたことを特徴とする商品陳列什器。
【手続補正３】
【補正対象書類名】明細書
【補正対象項目名】０００６
【補正方法】変更
【補正の内容】
【０００６】
本考案に係る商品陳列什器は、前記課題解決のために、商品を縦積みした状態で陳列する商品陳列什器であって、上下方向に長い矩形状の背板、該背板の幅方向端縁から前方に延びる左右の側板、該側板の前端縁から幅方向内側に延びる左右の前板からなる、上面開口部及び下面開口部並びに前記左右の前板間に前面開口部を有し、その内方に前記商品を収容する、弾性変形可能な素材からなる基体と、該基体に連結され、前記下面開口部の下方又は前記下面開口部を塞ぐように位置して前記商品を当止する当止体と、前記基体を被取付部に取り付ける取付手段とを備え、前記基体内に収容した商品の前方への抜け止めが可能なように前記前面開口部の間隔を設定するとともに、前記前面開口部の間隔を広げるように前記基体を弾性変形させながら前記商品を前方へ取り出し可能としたことを特徴とする。
【手続補正４】
【補正対象書類名】明細書
【補正対象項目名】０００７
【補正方法】変更
【補正の内容】
【０００７】
また、本考案に係る商品陳列什器は、前記課題解決のために、商品を縦積みした状態で陳列する商品陳列什器であって、平面視略Ｃ字状で上下方向に長く、上面開口部及び下面開口部並びに前面開口部を有し、その内方に前記商品を収容する、弾性変形可能な素材からなる基体と、該基体に連結され、前記下面開口部の下方又は前記下面開口部を塞ぐように位置して前記商品を当止する当止体と、前記基体を被取付部に取り付ける取付手段とを備え、前記基体内に収容した商品の前方への抜け止めが可能なように前記前面開口部の間隔を設定するとともに、前記前面開口部の間隔を広げるように前記基体を弾性変形させながら前記商品を前方へ取り出し可能としたことを特徴とする。